(57)【要約】【課題】  最小限の構成部材で所望の形状に正確に組立可能な圧縮機の遮音装置及びこれを用いた空気調和装置の室外機を提供する。【解決手段】  ゴムシートにフェルトを貼り付けたシート状の遮音材を折り曲げることによって立体的な形状に組立てられる圧縮機の遮音装置１１において、遮音材１２の縁部に、この縁部の端面から突出する凸部１６を設け、遮音材１２のうち、組立時に前記縁部に対向する部位には、凸部１６が嵌合する開口部１７を設ける。開口部１７の幅を、凸部１６の幅よりも小さく設定する。【選択図】      図２
2006242543.tif 000002
【特許請求の範囲】
【請求項１】
シート状の遮音材を折り曲げることによって立体的な形状に組立てられる圧縮機の遮音装置であって、
前記遮音材の縁部には、該縁部の端面から突出する凸部が設けられており、
前記遮音材のうち、組立時に前記縁部に対向する部位には、前記凸部が嵌合する開口部が設けられている圧縮機の遮音装置。
【請求項２】
前記開口部の内寸が、前記凸部の寸法よりも小さく設定されている請求項１記載の圧縮機の遮音装置。
【請求項３】
圧縮機と、請求項１または２に記載の圧縮機の遮音装置と、室外熱交換器とを備えた空気調和装置の室外機。
【発明の詳細な説明】
【技術分野】
【０００１】
本発明は、空気調和装置等に用いられる圧縮機の遮音装置及びこれを用いた空気調和装置の室外機に関するものである。
【背景技術】
【０００２】
空気調和装置は、冷媒回路上で冷凍サイクルを形成することによって室内雰囲気を調和するものである。冷媒回路上には、冷媒を圧縮する圧縮機と、冷媒と室外雰囲気との間で熱交換を行う室外熱交換器とが設けられており、これらの部材は、屋外に設置された室外機内に収納されている。
圧縮機には、動作音を外部に極力外部に漏らさないように、例えば後記の特許文献１に記載の圧縮機の遮音装置が設けられている。
特許文献１に記載の圧縮機の遮音装置は、筒状の遮音材と、この遮音材の上端開口を閉塞する円盤状の遮音材とによって構成されている。この圧縮機の遮音装置では、遮音材に複数の巻き止め具を設けて、これら巻き止め具に締め付け紐を巻回すことによって遮音材を固定している。
【０００３】
【特許文献１】特開平７−１０３１４１号公報
【発明の開示】
【発明が解決しようとする課題】
【０００４】
近年は、あらゆる製品について、製造コストの低減や組立に要する時間の短縮を図るために、部品点数を低減することが望まれている。
このため、圧縮機の遮音装置においても、遮音材の確実な固定を可能にしながら、巻き止め具及び締め付け紐の設置数を最小限に抑えることが求められている。
しかしながら、組立時の形状精度を維持するために、複数箇所で圧縮機の遮音装置を固定する必要があり、特に、圧縮機の遮音装置の形状が複雑である場合には、より固定箇所を多くする必要があるので、巻き止め具及び締め付け紐の設置数を低減することは困難である。
【０００５】
本発明は、このような事情に鑑みてなされたものであって、最小限の構成部材で所望の形状に正確に組立可能な圧縮機の遮音装置及びこれを用いた空気調和装置の室外機を提供することを目的とする。
【課題を解決するための手段】
【０００６】
上記課題を解決するために、本発明は以下の手段を採用する。
すなわち、本発明にかかる圧縮機の遮音装置は、シート状の遮音材を折り曲げることによって立体的な形状に組立てられる圧縮機の遮音装置であって、前記遮音材の縁部には、該縁部の端面から突出する凸部が設けられており、前記遮音材のうち、組立時に前記縁部に対向する部位には、前記凸部が嵌合する開口部が設けられていることを特徴とする。
【０００７】
このように構成される圧縮機の遮音装置では、シート状の遮音材を立体形状に組立てる際に、縁部に設けられた凸部と、この縁部に対向する部位に設けられた開口部とを嵌合させることで、これらの位置決め固定が行われる。
【０００８】
このように、この圧縮機の遮音装置では、凸部と開口部とを嵌合させることで、遮音材の各部を確実に位置決め固定して所望の立体形状に形成しながら、かつ巻き止め具や締め付け紐の設置数を低減したり、これらを用いずに固定を行うことができる。
開口部は、例えば、縁部に開口する切り欠きや、遮音材の厚み方向に貫通する穴部によって構成される。すなわち、凸部及び開口部は、圧縮機の遮音装置を遮音材のシートやロール等から切り出す際に形成することができるので、多数設置しても、部品点数は増加しない。
【０００９】
また、この圧縮機の遮音装置において、前記開口部の内寸が、前記凸部の寸法よりも小さく設定されていてもよい。
この場合には、開口部の内寸が凸部の寸法よりも小さく設定されているので、嵌合状態になったのちは凸部と開口部とが分離しにくく、強固な固定を実現することができる。
【００１０】
本発明にかかる空気調和装置の室外機は、圧縮機と、請求項１または２に記載の圧縮機の遮音装置と、室外熱交換器とを備えたことを特徴とする。
この空気調和装置の室外機では、遮音材の各部を確実に位置決め固定して所望の立体形状に形成しながら、かつ巻き止め具や締め付け紐の設置数を低減したり、これらを用いずに固定を行うことができる。
【発明の効果】
【００１１】
本発明にかかる圧縮機の遮音装置及びこれを用いた空気調和装置の室外機によれば、最小限の構成部材で圧縮機の遮音装置を所望の形状に正確に組立可能であるので、製造コストの低減や組立に要する時間の短縮を図ることができる。
【発明を実施するための最良の形態】
【００１２】
以下に、本発明にかかる一実施形態について、図面を参照して説明する。
本実施形態に示す空気調和装置の室外機は、図１に示す圧縮機１と、圧縮機１の周囲を囲って外部への動作音の漏出を防止する圧縮機の遮音装置１１（図２参照）と、室外熱交換器（図示せず）とを収納するものである。
ここで、図１において、符号２は圧縮機１の密閉ハウジング、符号３は冷媒を取り込むための吸入管、符号４は各種配線が接続される端子台、符号５は圧縮された冷媒を吐出するための吐出管、符号６は吸入管３に介装されて余剰冷媒を一時貯留するアキュームレータ、符号７はベースへの固定用の据付足である。
【００１３】
図２に示すように、圧縮機の遮音装置１１は、シート状の遮音材１２を折り曲げることによって立体的な形状に組立てられるものである。
本実施形態では、圧縮機の遮音装置１１は、圧縮機１及びアキュームレータ６の周囲及び上方を囲む箱状に形成されている。具体的には、圧縮機の遮音装置１１は、圧縮機１及びアキュームレータ６の周囲を囲む４枚の側壁１２ａ，１２ｂ，１２ｃ，１２ｄと、これら側壁１２ａ〜１２ｄによって囲まれる空間の上端を覆う天井部１２ｅとを有している。
【００１４】
遮音材１２は、ゴムシートの片面側にフェルトを貼り付けたものであって、図３の展開図に示すように、側壁１２ａ〜１２ｄがそれぞれ側辺を隣接する側壁と接続され、これら側壁１２ａ〜１２ｄのうちのいずれか一つの側壁の上端に、天井部１２ｅが接続された構成とされている。本実施の形態では、天井部１２ｅは、側壁１２ｂの上端に接続されている。また、組立時に側壁１２ｂに対向する側壁１２ｄの上端には、天井部１２ｅに重なる舌部１２ｆが設けられている。そして、側壁１２ａ，１２ｃ，１２ｄの下端には、それぞれ、圧縮機１に接続された配管や配線を挿通させるためのスリットＳが設けられている。
【００１５】
この遮音材１２は、これら側壁１２ａ，１２ｂ，１２ｃ，１２ｄ，天井部１２ｅ、及び舌部１２ｆの境界線に沿って折り曲げることにより、図２に示すような箱形状に組み立てられるようになっている。なお、遮音材１２は、フェルト側が内側となるようにして組み立てられる。また、これら側壁１２ａ，１２ｂ，１２ｃ，１２ｄ，天井部１２ｅ、及び舌部１２ｆの境界線には、折り曲げが容易となるように、ミシン目が入れられている。
【００１６】
側壁１２ａ及び１２ｃの上端には、その縁部の端面から突出する凸部１６が設けられている。また、天井部１２ｅにおいて、側壁１２ａの上端に対向する部位、及び側壁１２ｃの上端に対向する部位には、それぞれ凸部１６が嵌合する開口部１７が設けられている。
本実施形態では、嵌合部１７は、天井部２ｅの縁部に開口する切り欠きによって構成されており、その幅方向の寸法αは、凸部１６の幅方向の寸法βよりも小さく設定されている。
また、天井部１２ｅにおいて側壁１２ｄの上端側及び舌部１２ｆには、巻き止め具２１が設けられている。舌部１２ｆ側の巻き止め具２１には、締め付け紐２２が設けられている。
【００１７】
このように構成される圧縮機の遮音装置１１では、図４に示すように、シート状の遮音材１２を立体形状に組立てる際に、側壁１２ａ，１２ｃの上端縁に設けられた凸部１６と、天井部１２ｅのうち、この上端縁に対向する部位に設けられた開口部１７とを嵌合させることで、これらの位置決め固定が行われる。
さらに、天井部１２ｅ及び舌部１２ｆに設けられた巻き止め具２１に締め付け紐２２を巻きまわすことによって、天井部１２ｅと舌部１２ｆとが確実に固定されるようになっている。
【００１８】
本実施形態にかかる空気調和装置の室外機では、圧縮機の遮音装置１１は、上記のように凸部１６と開口部１７とを嵌合させて組み立てるので、遮音材２の各部を確実に位置決め固定して所望の立体形状に形成しながら、かつ最低限の巻き止め具及び締め付け紐によって固定を行うことができる。これにより、図２に示すように、側壁１２ａ〜１２ｄに対して天井部１２ｅが傾斜したような複雑な形状の圧縮機の遮音装置１１についても、巻き止め具及び締め付け紐を最小限にしながら正確な形状に組み立てることができる。
凸部１６及び開口部１７は、圧縮機の遮音装置１１を遮音材２のシートやロール等から切り出す際に形成することができるので、多数設置しても、部品点数は増加しない。
このため、この圧縮機の遮音装置１１では、最小限の構成部材で所望の形状に正確に組立が可能であり、製造コストの低減や組立に要する時間の短縮を図ることができる。
【００１９】
また、この圧縮機の遮音装置１１では、開口部１７の幅αが、凸部１６の幅βよりも小さく設定されているので、これらが嵌合状態になったのちは分離しにくく、強固な固定を実現することができる。
【００２０】
ここで、本実施形態では、開口部１７を、縁部に開口する切り欠きによって構成した例を示したが、これに限られることなく、開口部１７は、遮音材２の厚み方向に貫通する穴部によって構成されていてもよい。
【図面の簡単な説明】
【００２１】
【図１】本発明の一実施形態にかかる空気調和装置の室外機内に設けられる圧縮機を示す斜視図である。
【図２】本発明の一実施形態にかかる圧縮機の遮音装置の組立時の状態を示す図である。
【図３】本発明の一実施形態にかかる圧縮機の遮音装置の構成を示す展開図である。
【図４】本発明の一実施形態にかかる圧縮機の遮音装置の構成を示す拡大図である。
【符号の説明】
【００２２】
１１  圧縮機の遮音装置
１２  遮音材
１６  凸部
１７  開口部
【図１】
2006242543.tif 000003
【図２】
2006242543.tif 000004
【図３】
2006242543.tif 000005
【図４】
2006242543.tif 000006